(57)【特許請求の範囲】
【請求項１】
他のファクシミリとの通信履歴を示す通信管理レポートの登録と出力を行なうと共に、外部装置から出力要求された画情報の印字出力、および、該外部装置からの出力要求画情報のファクシミリ通信手順による他のファクシミリとの送受信を行なうファクシミリにおいて、
上記外部装置からの出力要求画情報のファクシミリ通信手順での送信時に、該送信動作が上記外部装置から出力要求された画情報の送信動作である旨を、上記通信管理レポートに登録すると共に、
ファクシミリ通信手順での受信時に、該受信動作が他のファクシミリ装置からの上記外部装置の出力要求画情報の受信動作である旨を、上記通信管理レポートに登録し、
他のファクシミリに送信する画情報が上記外部装置からの出力要求画情報である旨を、上記ファクシミリ通信手順により、着信側のファクシミリに通知することを特徴とするファクシミリのプリンタ出力要求画情報通信制御方法。
【請求項２】
請求項１に記載のファクシミリのプリンタ出力要求画情報通信制御方法において、上記外部装置からの出力要求画情報を他のファクシミリに送信する時、上記ファクシミリ通信手順による該出力要求画情報に対する送信情報の付加を禁止することを特徴とするファクシミリのプリンタ出力要求画情報通信制御方法。
【請求項３】
請求項１、もしくは、請求項２のいずれかに記載のファクシミリのプリンタ出力要求画情報通信制御方法において、他のファクシミリから送られてくる画情報が、上記外部装置からの出力要求画情報であれば、上記ファクシミリ通信手順による該画情報に対する受信情報の付加を禁止することを特徴とするファクシミリのプリンタ出力要求画情報通信制御方法。
【請求項４】
請求項１から請求項３のいずれかに記載のファクシミリのプリンタ出力要求画情報通信制御方法において、上記外部装置からの画情報の出力要求の受付時に、該外部装置に予め対応付けられたファクシミリを選択して、上記外部装置からの出力要求画情報を送信することを特徴とするファクシミリのプリンタ出力要求画情報通信制御方法。
【発明の詳細な説明】
【０００１】
【産業上の利用分野】
本発明は、パーソナルコンピュータ等の外部装置から出力要求された画情報（以下、プリンタ出力要求画情報と記載）の印字出力が可能で、かつ、外部装置からのプリンタ出力要求画情報を、ファクシミリ送信手順で他端末へ送信可能なファクシミリに係わり、特に、プリンタ出力要求画情報の通信結果と通常の画情報の通信結果を効率良く分けて管理するのに好適なファクシミリのプリンタ出力要求画情報通信制御方法に関するものである。
【０００２】
【従来の技術】
Ｇ３やＧ４モードによる情報の送受信を行なうファクシミリでは、社団法人電子情報通信学会編「電子情報通信ハンドブック」（１９８８年、株式会社オーム社発行）の第２６１３頁から第２６１５頁に記載のファクシミリ通信サービスを、端末機能として具備するものがあり、例えば、全ての通信結果を通信管理レポートとして登録しておき、所定の時間後、もしくは、オペレータの指示に基づき印字出力することができる。オペレータは、この通信管理レポートにより、どこのファクシミリとどのような通信を行なった等の通信履歴情報を得ることができる。また、現在では、複写機やコンピュータのプリンタ等の機能を複合的に具備したファクシミリがある。
【０００３】
このような複合機能を有するファクシミリによれば、パーソナルコンピュータ等の外部装置から印字要求が発生すれば、このプリンタ出力要求された画情報を遠隔地にある他のファクシミリに送信して、この受信側のファクシミリを外部装置のプリンタとして利用することができる。
しかし、このようにして外部装置からのプリンタ出力要求画情報のファクシミリ手順による送受信を行なうと、送信側および受信側のファクシミリのそれぞれの通信管理レポート上には、通常の送信および受信表示がなされる。このために、ユーザには、プリンタ出力要求画情報の送受信としての判別ができない。
【０００４】
また、送信側のファクシミリからは、画情報に発信元名称表示（ＴＴＩ：Ｔｒａｎｓｍｉｔｔｅｒ  Ｔｅｒｍｉｎａｌ  Ｉｄｅｎｔｉｆｉｃａｔｉｏｎ、）やその他の送信情報を付加して送出してしまい、また、受信側のファクシミリは、画情報に発信元名称表示（ＲＴＩ：Ｒｅｃｅｉｖｅ  Ｔｅｒｍｉｎａｌ  Ｉｄｅｎｔｉｆｉｃａｔｉｏｎ）や国際識別番号（ＣＳＩ：Ｃａｌｌｅｄ  Ｓｔａｔｉｏｎ  Ｉｄｅｎｔｉｆｉｃａｔｉｏｎ）等を付加して印字出力してしまうため、受信側のファクシミリにおける外部装置のプリンタとしての有効性を発揮できない。
また、出力先として利用する遠隔地のファクシミリが、常に同じ場合でも、外部装置からのプリンタ出力要求画情報が発生する度に、相手先との呼設定動作を行なう必要がある。
【０００５】
【発明が解決しようとする課題】
解決しようとする問題点は、従来の技術では、外部装置からのプリンタ出力要求画情報の送受信時にも、通常の送受信として通信管理レポートで管理しており、ユーザには、プリンタ出力要求画情報の送受信としての判別ができない点と、送信側のファクシミリは、通常の送信情報を付加して送出してしまい、また、受信側のファクシミリは、画情報に通常の受信情報を付加して印字出力してしまうため、受信側ファクシミリの外部装置のプリンタとしての有効性を発揮できない点、および、常に同じファクシミリを外部装置のプリンタとして利用する場合でも、外部装置からのプリンタ出力要求画情報が発生する度に、送受信間の呼設定を行なわなければならない点ある。
本発明の目的は、これら従来技術の課題を解決し、通信管理レポートによるプリンタ出力要求画情報の送受信情報の参照を可能とし、外部装置用のプリンタとしての動作状況を把握しやすくし、また、プリンタ出力要求画情報の送信時における発信元名称表示等の送信情報の付加動作、および、受信側におけるプリンタ出力要求画情報に対する発信元名称記録等の通信情報の付加動作を不要とし、受信側におけるプリンタとしての有効性をより高め、さらに、プリンタ出力要求画情報を送信先との呼設定を自動的に行ない、受信先のファクシミリを外部装置のプリンタとして用いる場合の操作性を向上させることを可能とするファクシミリのプリンタ出力要求画情報通信制御方法を提供することである。
【０００６】
【課題を解決するための手段】
上記目的を達成するため、本発明のファクシミリのプリンタ出力要求画情報通信制御方法は、（１）他のファクシミリとの通信履歴を示す通信管理レポートの登録と出力を行なうと共に、外部装置から出力要求された画情報の印字出力、および、この外部装置からのプリンタ出力要求画情報のファクシミリ送信手順による他のファクシミリへの送信を行なうファクシミリにおいて、外部装置からのプリンタ出力要求画情報のファクシミリ送信手順での送信および受信時に、この送受信動作が外部装置からプリンタ出力要求された画情報の送受信動作である旨を、通信管理レポートに登録することを特徴とする。
また、（２）上記（１）に記載のファクシミリのプリンタ出力要求画情報通信制御方法において、外部装置からのプリンタ出力要求画情報を他のファクシミリに送信する時、ファクシミリ送信手順によるこのプリンタ出力要求画情報に対する送信情報の付加を禁止することを特徴とする。
また、（３）上記（１）、もしくは、（２）のいずれかに記載のファクシミリのプリンタ出力要求画情報通信制御方法において、他のファクシミリに送信する画情報が外部装置からのプリンタ出力要求画情報である旨を、ファクシミリ送信手順により、着信側のファクシミリに通知することを特徴とする。
また、（４）上記（１）から（３）のいずれかに記載のファクシミリのプリンタ出力要求画情報通信制御方法において、他のファクシミリから送られてくる画情報が、外部装置からのプリンタ出力要求画情報であれば、ファクシミリ送信手順によるこの画情報に対する受信情報の付加を禁止することを特徴とする。
また、（５）上記（１）から（４）のいずれかに記載のファクシミリのプリンタ出力要求画情報通信制御方法において、外部装置からの画情報のプリンタ出力要求の受付時に、この外部装置に予め対応付けられたファクシミリを選択して、外部装置からのプリンタ出力要求画情報を送信することを特徴とする。
【０００７】
【作用】
本発明においては、通信管理レポートを参照することで、プリンタ出力要求画情報の送信情報や受信情報を参照することができるので、プリンタとしての動作状況を把握しやすくなる。また、送信側ファクシミリは、プリンタ出力要求画情報の送信時に、ＴＴＩ等の送信情報を付加しないため、受信側ファクシミリにおけるプリンタとしての有効性を、より高めることができる。また、受信側ファクシミリは、プリンタ出力要求画情報の受信時に、ＲＴＩ／ＣＳＩ等の通信情報を付加しないため、プリンタとしての有効性を、より高めることができる。また、送信側ファクシミリから受信側ファクシミリへプリンタ出力要求画情報を送信する際に、予め登録してある受信側ファクシミリの局番が、自動的に着信局番となるので、使い勝手の面で有効である。
【０００８】
【実施例】
以下、本発明の実施例を、図面により詳細に説明する。
図１は、本発明のファクシミリのプリンタ出力要求画情報通信制御方法を実施するファクシミリの本発明に係わる構成の一実施例を示すブロック図である。
本実施例のファクシミリは、原稿画像から所定の解像度の画情報を読み出すスキャナ１、画情報を記録紙に記録するプロッタ２、送信する画情報の符号化と受信した画情報の復号化を行なう符号化復号化部３、蓄積送信の場合に、送信する画情報を一旦蓄積し、また、代行受信時に、画情報の蓄積を行ない、現在のメモリ残量を参照することができる画像メモリ４、回線の捕捉や、発信先電話番号である選択信号の送出、着信の検出等により、所定の発呼動作および着信動作を行なう網制御部５、画情報を変復調して伝送すると共に、伝送制御手順における各種手順信号を伝送するモデム６、網制御部５とモデム６を制御して、ＣＣＩＴＴのＧ３規格に準拠した所定の伝送制御手順により、ファクシミリ伝送を制御する通信制御部７、操作ガイダンス等を表示すると共に、操作者に、そのガイダンスに従って、本ファクシミリに所定の送受信処理を行なわせるための各種操作を入力させ、プリンタ表示モードでは、押されたキーコードデータを後述のプリンタ制御部９に通知し、返送されたＬＣＤデータの表示を行なう操作表示部８、ホストマシンからプリンタ出力要求がなされたとき、ホストマシンから受信したプリンタデータを、ビットパターンに変換し、画情報として、システム制御部１２に通知すると同時に、ホストマシンとのハンドシェーク制御を行なうプリンタ制御部９、プリンタ設定情報の記憶、および、プリンタ設定用ＬＣＤの全フローを記憶して制御し、プリンタ制御部９の通知するキー情報を元に、プリンタ設定の変更と登録、キー入力に対応するプリンタ設定フローのＬＣＤ情報をプリンタ制御部９に通知するプリンタボード１０、登録情報やジョブファイル格納用のＲＡＭエリアとしての通信管理情報記憶部１１、ＣＰＵ（中央処理装置）やＲＯＭ（ロム）、ＲＡＭ（ラム）等で構成され、上述の各部を制御して、ファクシミリの所定の動作を行なわせるシステム制御部１２、上述の各部間におけるデータを伝送するシステムバス１３とにより構成されている。
【０００９】
以下、図２〜図７を用いて、本実施例のファクシミリの本発明に係わる動作を説明する。
図２は、図１におけるファクシミリの本発明のプリンタ出力要求画情報通信制御方法に係わる動作の第１の実施例を示すフローチャートである。
本例は、外部装置からのプリンタ出力要求画情報を、ファクシミリ通信手順で送信する動作を示すものであり、外部装置よりプリンタ出力要求がなされたとき（ステップ２０１）、図１のプリンタ制御部９は、プリンタ出力要求画情報を図１の画像メモリ４に蓄積した後（ステップ２０２）、その画情報を送信するために、通信制御ジョブを起動する（ステップ２０３）。
起動された通信制御ジョブは、図１の操作表示部８等から遠隔地のプリンタに指定された受信局（受信側ファクシミリ）に対して発呼を行なう（ステップ２０４）。受信局より応答があると（ステップ２０５）、通信成立と判断し、図１の通信管理情報記憶部１１に対して、通信開始の通知と、プリンタ出力要求画情報の送信である旨や送信開始時刻等の登録を行なう（ステップ２０６〜２０８）。その後、画情報の送信タイミングで通信モード等の通信情報を（ステップ２０９）、また、通信終了のタイミングで（ステップ２１０）通信結果を、それぞれ図１の通信管理情報記憶部１１に登録する（ステップ２１１）。
【００１０】
図３は、図１におけるファクシミリの本発明のプリンタ出力要求画情報通信制御方法に係わる動作の第２の実施例を示すフローチャートである。
本例は、外部装置からのプリンタ出力要求画情報を、ファクシミリ通信手順で受信する動作を示すものであり、送信局（送信側ファクシミリ）からの発呼を受信すると、まず、図１の通信管理情報記憶部１１に対して、受信の開始を通知する（ステップ３０１）。次に、送信局からの非標準機能設定命令（ＮＳＳ：Ｎｏｎ−Ｓｔａｎｄａｒｄ  Ｆａｃｉｌｉｔｉｅｓ  Ｓｅｔ−ｕｐ）の情報要素により、プリンタ出力要求画情報の受信を確認すると（ステップ３０２）、図１の通信管理情報記憶部１１に対して、「プリンタ出力要求画情報の受信」の旨を登録する（ステップ３０３）。これ以後は、通常受信の動作と同様に、それぞれのフェーズで、必要な受信情報を、次々に通信情報管理部へ登録していく。すなわち、画情報の受信タイミングで通信モード等の通信情報を（ステップ３０４）、また、通信終了のタイミングで（ステップ３０５）通信結果を、それぞれ図１の通信管理情報記憶部１１に登録する（ステップ３０６）。
【００１１】
図４は、図１におけるファクシミリの本発明のプリンタ出力要求画情報通信制御方法に係わる動作の第３の実施例を示すフローチャートである。
本例は、外部装置からのプリンタ出力要求画情報を、ファクシミリ通信手順で送信する動作を示すものであり、受信局より通信成立の応答があると（ステップ４０１）、送信する画情報がプリンタ出力要求画情報である場合には（ステップ４０２）、ＴＴＩ等の送信端末情報の付加を行なわずに（ステップ４０３）、受信局に画情報を送信する（ステップ４０４）。
【００１２】
図５は、図１におけるファクシミリの本発明のプリンタ出力要求画情報通信制御方法に係わる動作の第４の実施例を示すフローチャートである。
本例は、外部装置からのプリンタ出力要求画情報を、ファクシミリ通信手順で送信する動作を示すものであり、受信局より通信成立の応答があり（ステップ５０１）、送信する画情報がプリンタ出力要求画情報の場合には（ステップ５０２）、受信局に対して、プリンタ出力要求画情報の送信である旨を、予めアサインしてある非標準機能設定命令（ＮＳＳ）のビットをセットすることで通知した後（ステップ５０３）、画情報送信処理を行なう（ステップ５０４）。
【００１３】
図６は、図１におけるファクシミリの本発明のプリンタ出力要求画情報通信制御方法に係わる動作の第５の実施例を示すフローチャートである。
本例は、外部装置からのプリンタ出力要求画情報を、ファクシミリ通信手順で受信する動作を示すものであり、送信局よりプリンタ出力要求画情報の送信情報をＮＳＳ等で受信すると（ステップ６０１）、受信局は、ＲＴＩ／ＣＳＩ等の情報要素の付加を行なわずに（ステップ６０２）、画情報を受信する（ステップ６０３）。
【００１４】
図７は、図１におけるファクシミリの本発明のプリンタ出力要求画情報通信制御方法に係わる動作の第６の実施例を示すフローチャートである。
本例は、外部装置からのプリンタ出力要求画情報を、ファクシミリ通信手順で送信する動作を示すものであり、外部装置よりプリンタ出力要求がなされたとき（ステップ７０１）、図１のプリンタ制御部９は、プリンタ出力要求画情報を図１の画像メモリ４に蓄積する（ステップ７０２）。そして、図１のシステム制御部１２は、この蓄積動作に基づき、図１の通信管理情報記憶部１１から、予め遠隔地のプリンタとして登録されている局番を読み出し（ステップ７０３）、図１の操作表示部８に一定時間だけ表示する（ステップ７０４）。
この時、ユーザが、この局番、もしくは、他の局番を入力した場合は（ステップ７０５）、これを着信局と判断し（ステップ７０６）、通信制御ジョブを作成し、プリンタ出力要求画情報の送信動作を行なう（ステップ７０７）。また、一定時間内に（ステップ７０８、７０９）、ユーザによる変更がなかった場合は、図１の通信管理情報記憶部１１より読み出した局番を着信局として（ステップ７１０）、ステップ７０７における通信制御ジョブを作成する。
【００１５】
以上、図１〜図７を用いて説明したように、本実施例のファクシミリのプリンタ出力要求画情報通信制御方法では、通信管理レポートを参照することで、プリンタ出力要求画情報の送信情報や受信情報を参照することができるので、プリンタとしての動作状況を把握しやすくなる。また、送信側ファクシミリは、プリンタ出力要求画情報の送信時に、ＴＴＩ等の送信情報を付加しないため、受信側ファクシミリにおけるプリンタとしての有効性を、より高めることができる。また、受信側ファクシミリは、プリンタ出力要求画情報の受信時に、ＲＴＩ／ＣＳＩ等の通信情報を付加しないため、プリンタとしての有効性を、より高めることができる。また、送信側ファクシミリから受信側ファクシミリへプリンタ出力要求画情報を送信する際に、予め登録してある受信側ファクシミリの局番が、自動的に着信局番となるので、使い勝手の面で有効である。
尚、本発明は、図１〜図７を用いて説明した実施例に限定されるものではなく、その要旨を逸脱しない範囲において種々変更可能である。
【００１６】
【発明の効果】
本発明によれば、通信管理レポートによりプリンタ出力要求画情報の送受信情報を参照することができ、プリンタとしてのファクシミリの動作状況の把握が容易となり、また、プリンタ出力要求画情報の送信時における送信側の発信元名称表示等の送信情報の付加動作、および、受信側におけるプリンタ出力要求画情報に対する発信元名称記録等の通信情報の付加動作が不要となり、受信側ファクシミリのプリンタとしての有効性をより高めることができ、さらに、遠隔地にある送信先との呼設定を自動的に行なうことができ、遠隔地のファクシミリを外部装置のプリンタとして用いる場合の操作性を向上させることが可能である。
【図面の簡単な説明】
【図１】本発明のファクシミリのプリンタ出力要求画情報通信制御方法を実施するファクシミリの本発明に係わる構成の一実施例を示すブロック図である。
【図２】図１におけるファクシミリの本発明のプリンタ出力要求画情報通信制御方法に係わる動作の第１の実施例を示すフローチャートである。
【図３】図１におけるファクシミリの本発明のプリンタ出力要求画情報通信制御方法に係わる動作の第２の実施例を示すフローチャートである。
【図４】図１におけるファクシミリの本発明のプリンタ出力要求画情報通信制御方法に係わる動作の第３の実施例を示すフローチャートである。
【図５】図１におけるファクシミリの本発明のプリンタ出力要求画情報通信制御方法に係わる動作の第４の実施例を示すフローチャートである。
【図６】図１におけるファクシミリの本発明のプリンタ出力要求画情報通信制御方法に係わる動作の第５の実施例を示すフローチャートである。
【図７】図１におけるファクシミリの本発明のプリンタ出力要求画情報通信制御方法に係わる動作の第６の実施例を示すフローチャートである。
【符号の説明】
１  スキャナ
２  プロッタ
３  符号化復号化部
４  画像メモリ
５  網制御部
６  モデム
７  通信制御部
８  操作表示部
９  プリンタ制御部
１０  プリンタボード
１１  通信管理情報記憶部
１２  システム制御部
１３  システムバス
【図１】
0003541957.tif 000002
【図２】
0003541957.tif 000003
【図３】
0003541957.tif 000004
【図４】
0003541957.tif 000005
【図５】
0003541957.tif 000006
【図６】
0003541957.tif 000007
【図７】
0003541957.tif 000008